(57)【特許請求の範囲】
【請求項１】
調理器の上方または周囲に設置され、汚染された空気を吸込む吸込口と、浄化した空気を吐き出す吐出口と、排気送風用の排気装置を内包した送風ケーシングとを連通して通風路を設けたフードと、
前記吸込口下流側に駆動手段により回転する円盤状でフィルターと、
前記フィルターを包囲する洗浄ケーシングと、
多数の噴射口を一列に配列した円筒状のノズルと、
前記ノズルに水を供給する給水手段と、
前記洗浄ケーシング内に散乱した汚水の回収手段とを有し、
前記フィルター中心側から円周端側に向かい前記ノズルを配設し、
前記洗浄ケーシングが貯水構造となるように仕切板を設け、
前記フィルターの開口は、フィルター中心から放射状のスリット形状で、かつスリットの開口部両側のスリット桟が段違いとなる形状としたことを特徴とするレンジフード。
【請求項２】
上記フィルター表面に親水塗装を施したことを特徴とする請求項１に記載のレンジフード。
【発明の詳細な説明】
【技術分野】
【０００１】
本発明は、空気の汚れである微小物を除去するフィルターを備えたレンジフードに関する。
【背景技術】
【０００２】
従来、この種のレンジフードには調理で発生する油煙や埃等を捕集する目的としてフィルターが取り付けられているものが知られている（例えば、特許文献１参照）。
【０００３】
以下、そのレンジフードについて図５を参照しながら説明する。
【０００４】
図５は特許文献１に開示されている従来のレンジフード１００の構成図である。油等の汚れを含む空気１０１は、吸込口１０２を通過して排気装置１０３の前方に配置されたフィルター１０４を通過する。センサー１０６がフィルター１０４の汚れを検知すると、駆動装置１０５がフィルター１０４を回転させて、汚れを遠心力で除去する。
【０００５】
また、この種のレンジフードには調理で発生する油煙や埃等を捕集する目的としてフィルターを取り付け、そこのフィルターを洗浄液に浸漬させて洗浄するものもある（例えば、特許文献２参照）。
【０００６】
以下、そのレンジフードについて図６を参照しながら説明する。
【０００７】
図６は特許文献２に開示されている他の従来のレンジフード２００の構成図である。
【０００８】
レンジフード２００は、吸込口２０１とファン２０２との間に設けられるフィルター２０３を備える。フィルター２０３は略水平に延びる回転軸２０４で回転する。フィルター２０３の回転軸２０４より下方の部分が、洗浄タンク２０６に収容された洗浄液２０５に浸漬される。フィルター２０３の回転軸２０４より上方の部分には油、埃等の汚れを含む空気が通過してその汚れが付着している。フィルター２０３を回転軸２０４で回転させることで、汚れが付着した部分を回転軸２０４より下方に位置させて洗浄液２０５に浸漬させて洗浄する。
【先行技術文献】
【特許文献】
【０００９】
【特許文献１】特開平３−１６４６３９号公報
【特許文献２】特開平６−１３７６３０号公報
【発明の概要】
【発明が解決しようとする課題】
【００１０】
このような従来のレンジフード１００では、汚れがフィルター１０４に堆積して乾燥すると、遠心力だけでは十分に除去するのが困難である。したがって、しだいにフィルター１０４が目詰まりを起こし、汚れを除去する性能が低下する。
【００１１】
また、このような従来のレンジフード２００では、フィルター２０３の洗浄後に洗浄液２０５内に汚れが浮遊する。浮遊している汚れはフィルター２０３に再付着し、次第にフィルター２０３が汚れて目詰まりを起こし、レンジフード２００の性能が低下する。
【００１２】
そして、これらのフィルターは使用とともに汚れが堆積して吸い込む空気の量が低下し、または油垂れが生じるので、定期的に掃除する必要がある。
【００１３】
そこで本発明は、上記従来の課題を解決するものであり、定期的にフィルターを取り外すことなく、乾燥し固着したフィルターの油や埃などの汚れや洗浄後の洗浄液に浮遊している汚れを手間なく除去できるレンジフードを提供することを目的としている。
【課題を解決するための手段】
【００１４】
本発明のレンジフードは、上記目的を達成するために、調理器の上方または周囲に設置され、汚染された空気を吸込む吸込口と、浄化した空気を吐き出す吐出口と、排気送風用の排気装置を内包した送風ケーシングとを連通して通風路を設けたフードと、前記吸込口下流側に駆動手段により回転する円盤状のフィルターと、前記フィルターを包囲する洗浄ケーシングと、多数の噴射口を一列に配列した略円筒状のノズルと、前記ノズルに水を供給する給水手段と、前記洗浄ケーシング内に散乱した汚水の回収手段とを有し、前記フィルター中心側からフィルター円周端側方向に向かい前記ノズルを配設し、前記洗浄ケーシングが貯水構造となるように仕切板を設け、前記フィルターの開口は、フィルター中心から放射状のスリット形状で、かつスリット開口部両側のスリット桟が段違いとなる形状としたものである。
【００１５】
この手段により、フィルターを取り外すことなく、フィルターの表面に固着した汚れを簡単に除去することができるので、掃除の手間を軽減し、フィルターの目詰まりを防いで排出する風量の低下を抑え、また、油煙や塵埃をフィルターに効果的に捕集することができるレンジフードが得られる。
【発明の効果】
【００１６】
本発明によれば、多数の噴射口を配列したノズルをフィルター正面に設置することにより、フィルターを取り外すことなく、フィルターを回転させることによりフィルター全域に水を噴射して汚れを除去し固着した油や埃などの強固な汚れも手間なく洗浄することができるレンジフードを提供できる。
【００１７】
フィルターのスリット開口部の両側のスリット桟を段違いとなる形状としたことにより、ノズルから噴射された水がフィルター表面に当たり、その後フィルター段差部方向に流水することによりフィルター表面に固着した油や埃をより効果的に除去することができ、また、洗浄ケーシング内に溜めた水に浸漬した状態で、フィルターを回転した場合には、スリット開口部両側のスリット桟の段差が形成する段差開口部にフィルターの回転進行方向と逆に水流が通過こととなり、この部分を覆うように付着した油や埃なども効果的に剥離することができ、結果的にフィルターに付着した油や埃などの強固な汚れを剥ぎ取ることができるため、フィルターの性能が回復し洗浄作業の間隔を長くできるという効果のあるレンジフードを提供できる。
【図面の簡単な説明】
【００１８】
【図１】本発明の実施の形態１のレンジフードの設置状態を示す側面構成図
【図２】同レンジフードのノズル付近の斜視図
【図３】同レンジフードのノズルの正面図
【図４】（ａ）同レンジフードのフィルターの正面図と側面図、（ｂ）同フィルターの開口の詳細図、（ｃ）同フィルターの断面図
【図５】（ａ）ノズルからの水噴射時の水流を示す詳細図、（ｂ）洗浄ケーシング内に溜めた水に浸漬した状態でのフィルター回転時の水流を示す詳細図
【図６】従来のレンジフードの設置状態を示す構成図
【図７】従来の他のレンジフードの設置状態を示す構成図
【発明を実施するための形態】
【００１９】
以下、本発明の実施の形態について図面を参照しながら説明する。
【００２０】
（実施の形態１）
図１〜図３に示すように、調理器（図示せず）の上方に、調理にて発生した油煙や周囲に浮遊する埃である微小物を捕集する吸込口１を設けたフード２を設置し、フード２には、天面に屋外と連通したダクト３を介して連通する吐出口４を設け、内部には排気装置５を包括した送風ケーシング６を配設し、この排気装置５を介し吸込口１と吐出口４を結ぶ通風路７を形成している。
【００２１】
また、フード２内の吸込口１近傍には平坦な整流板８が設けられ、排気装置５の前面に駆動手段９を連結した油や埃を捕集する親水性塗装を施したフィルター１０を設け、フィルター１０外縁にはフィルター１０を覆い被さる筒形状の洗浄ケーシング１１を有し、フィルター１０前面には、多数の噴射口１２を横一列かつフィルター１０に対峙させ配列し、フィルター１０の中心側１３からフィルター１０の円周端側１４に向かい水平にかつ一定の距離を保持して設置している略円筒状のノズル１５が貯水装置１６と給水ポンプ１７に接続固定されて給水手段１８を形成している。
【００２２】
また、洗浄ケーシング１１の下端部には小孔１９を設け、洗浄ケーシング１１内に散乱した汚水を小孔１９から排水して回収する回収手段２０を設けている。貯水装置１６には、フィルター１０に固着した油や埃などの汚れを剥がしやすくするため、例えば約４０℃のお湯を洗浄前に入れるが、以下では水と記載して説明する。
【００２３】
また、洗浄ケーシング１１の下部には、仕切板２１を設け、ノズル１５からフィルター１０に向け噴射した水を洗浄ケーシング１１内に貯めてフィルター１０の下部が浸漬するように構成している。
【００２４】
図４は、上記フィルター１０の詳細形状を示す。図４に示すように、フィルター１０にはフィルター中心から放射状のスリット開口部２２を設け、このスリット開口部２２の両側にあるスリット桟２３はフィルター１０の本体面２４からひとつおきに突出するように成形して隣り合うスリット桟とで段差を構成し、段差開口部２５を構成している。即ち、フィルター１０には駆動手段９の回転軸２６方向から見るとスリット開口部２２が形成され、上記回転軸２６の円周方向から見ると段差開口部２５が形成されている。
【００２５】
上記構成において、調理時に発生した油や室内の埃などの汚れは、排気装置５を運転することで整流板８の周囲の吸込口１からフード２内に吸い込まれ、通風路７内に設置したフィルター１０にて捕集・蓄積されていく。一方、フィルター１０通過後の浄化された空気は、排気装置５によって吐出口４よりダクト３を通じ屋外に排出される。
【００２６】
フィルター１０を通過する空気の汚れは、フィルター１０のスリット桟２３に衝突し捕集され、空気の汚れのうち油の場合はフィルター１０のスリット開口部２２通過時にその開口の端面にも付着し、この付着した油に埃等の汚れが付着し蓄積することにより、フィルター１０のスリット開口部２２を塞いで目詰まりを発生させ、排出風量の低下を招くこととなる。
【００２７】
そのため、フィルター１０の洗浄を行うが、まず、駆動手段９によりフィルター１０を回転させ、同時に給水ポンプ１７により貯水装置１６に貯めた水を汲み上げノズル１５に供給する。ノズル１５の噴射口１２より勢いよく噴射された水はフィルター１０に施された親水性塗装面に付着し、フィルターに付着した油、埃を親水効果により浮かすとともにフィルター桟２３に衝突して、フィルター桟２３に付着した汚れを剥がし落とし、フィルター１０のスリット開口部２２、さらに段差開口部２５を通過する際にはこのスリット開口部２２、（または段差開口部２５）に蓄積された油や埃も合わせて除去し、回転による遠心力にてフィルター１０から飛散させて洗浄する。
【００２８】
この時、フィルター１０のスリット開口部２２は、フィルター１０の中心から放射状のスリット形状で構成しており、放射状のスリット形状のスリット開口部２２がフィルター１０の外縁近傍まで一つの開口で形成していることにより、フィルター１０の回転による遠心力を有効に利用でき、ノズル１５の噴射口１２より勢いよく噴射された水によりフィルター１０から剥離させた油や埃などをフィルター１０外へ遠心力で飛ばすことができる（図５ａ参照）。
【００２９】
さらにフィルター１０を洗浄ケーシング１１内に溜めた水に浸漬した状態で回転すると、相対的にフィルター１０の回転方向と逆向きにフィルター１０の面を沿う水流が発生する。この水流は、段差開口部２５を通過するので、この部分を覆うように付着した油や埃などを効果的に剥離することができる（図５ｂ参照）。即ち、スリット桟２３に段差がないと、スリット開口部２２を塞ぐ汚れは水中で回転する水流と並行な方向に付着しているので水流が衝突せずに剥がれ難いが、段差を設けることで開口部を塞いだ汚れに水流が衝突するようになり、剥がれ易くなるものである。
【００３０】
なお、スリット開口部２２の両側のスリット桟の段差は、隣接するスリット桟２３が段差を構成するように１つおきに１方向に突出するよう成形するようにしたが、互い違いに逆方向に突出するように成形し、隣り合うスリット桟２３が段差を構成するようにしても構わない。
【００３１】
このフィルター１０のフィルター開口部２２は、油や埃などの汚れによる目詰まりを防止するには大きい方がよいが、汚れの捕集面では小さい方がよい。レンジフードとしての機能を満足する為に、これら相反する２つの現象のバランスを考慮してスリット開口部２２の幅、長さ、配置と段差開口部の段差高さを決定している。
【００３２】
なお、段差開口部２５を通過する水流はフィルター１０を洗浄ケーシング１１内に溜めた水に浸漬した状態で回転と発生するとしたが、フィルター１０が垂直に取付けられ、回転しているので、ノズル１５から水が噴射される際にもフィルター１０の面上には部分的に回転方向とは逆の向きの円周方向への流れの成分をもつ水流が発生していることは言うもでもない。
【００３３】
また、貯水構造とした洗浄ケーシング１１内に溜まった噴射後の残水は、汚れを含んでいるため、フィルター１０の洗浄は断続的に行い、洗浄中に洗浄ケーシング１１内に浮遊している汚れがフィルター１０に再付着しても、一度洗浄した水を弁（図示せず）を開いて排水し、洗浄ケーシング１１内に水を貯めずフィルター１０を回転させた状態でノズル１５から数回にわたって勢いよく水を噴射することでフィルター全体に付着した汚れを洗い流すことが可能であり、洗浄後の洗浄液に浮遊している汚れを手間なく除去できる。
【００３４】
また、ノズル１５はフィルター１０前面に水平方向に設置しているが、フィルター１０の中心側１３からフィルター１０の円周端側１４に向かい一定距離を保って設置すればよく、フィルター１０前面であれば垂直方向の位置もしくは斜方方向の位置に設置してもよい。
【００３５】
以上のように、多数の噴射口を配列したノズルを、親水性塗装が施されたフィルター正面に設置することにより、フィルターを取り外すことなく、フィルターを回転させることによりフィルター全域に水を噴射して汚れを除去し、固着した油や埃などの強固な汚れも手間なく洗浄することができ、また、フィルターの開口を放射状のスリット形状としたことにより、水噴射によりフィルターから剥離させた油や埃などをフィルターの回転による遠心力を有効に利用してフィルター外へ飛ばすことができ、スリット開口部の両側のスリット桟を段違いとなる形状としたことにより、ノズルより勢いよく噴射された水がフィルター桟に衝突して、フィルターのスリット開口部、さらに段差開口部を通過する際にはこのスリット開口部、（または段差開口部）に蓄積された油や埃も合わせて除去することができる。
【００３６】
さらに、洗浄ケーシング内に溜めた水に浸漬した状態で、フィルターを回転した場合には、スリット開口部両側のスリット桟の段差にフィルターの回転進行方向と逆に水流が当たることとなり、この部分を覆うように付着した油や埃なども効果的に剥離することができ、結果的にフィルターに付着した油や埃などの強固な汚れを剥ぎ取ることができるため、フィルターの性能が回復し洗浄作業の間隔を長くできるという効果のあるレンジフードを提供できる。
【産業上の利用可能性】
【００３７】
噴射する水の勢いと遠心力にて汚れを取り除く構成により、汚れをフィルターで捕集しフィルターのメンテナンス・保守が困難な場所に設置する換気装置にも適用することができる。
【符号の説明】
【００３８】
１    吸込口
２    フード
４    吐出口
５    排気装置
６    送風ケーシング
７    通風路
８    整流板
９    駆動手段
１０  フィルター
１１  洗浄ケーシング
１２  噴射口
１３  中心側
１４  円周端側
１５  ノズル
１６  貯水装置
１７  給水ポンプ
１８  給水手段
１９  小孔
２０  回収手段
２１  仕切板
２２  スリット開口部
２３  スリット桟
２４  本体面
２５  段差開口部
２６  回転軸
【図１】
0005541013.tif 000002
【図２】
0005541013.tif 000003
【図３】
0005541013.tif 000004
【図４】
0005541013.tif 000005
【図５】
0005541013.tif 000006
【図６】
0005541013.tif 000007
【図７】
0005541013.tif 000008